(57)【要約】【課題】風路を形成する面を光触媒コーティング面に形成して、これに紫外線を照射させることで、フイルタを用いることなく、広い面積で空気の消臭、殺菌を効率よく行なうことができるようにした消臭・殺菌機能付き送風装置の提供。【解決手段】吸気口１３から吸気した空気を排気口から排気させる送気ファン２を備え、この送気ファンにより吸気した空気の流れを変更させる風向変更板１０を有する風路１１が形成され、この風路を通して送気ファンによる送風を行なうようにした送風装置であって、前記各風路の内面の全面又は一部の面が光触媒コーティング面Ｘに形成され、この光触媒コーティング面に紫外線を照射させるための紫外線照射手段３が前記風路内に設けられている。【選択図】      図１
2004263992.tif 000002
【特許請求の範囲】
【請求項１】
吸気口から吸気した空気を排気口から排気させる送気ファンを備え、この送気ファンにより吸気した空気の流れを変更させる風向変更板を有する風路が形成され、この風路を通して送気ファンによる送風を行なうようにした送風装置であって、
前記各風路の内面の全面又は一部の面が光触媒コーティング面に形成され、
この光触媒コーティング面に紫外線を照射させるための紫外線照射手段が前記風路内に設けられていることを特徴とした消臭・殺菌機能付き送風装置。
【請求項２】
請求項１記載の消臭・殺菌機能付き送風装置において、
光触媒コーティング面が凹凸面に形成されている消臭・殺菌機能付き送風装置。
【請求項３】
請求項１又は２記載の消臭・殺菌機能付き送風装置において、
紫外線照射手段が紫外線とオゾンを発生させるものである消臭・殺菌機能付き送風装置。
【請求項４】
請求項１又は２記載の消臭・殺菌機能付き送風装置において、
紫外線照射手段とオゾン発生手段が併設されている消臭・殺菌機能付き送風装置。
【発明の詳細な説明】
【０００１】
【発明の属する技術分野】
本発明は、送風装置に適用され、特に、空気の消臭、殺菌を行なうための技術に関する。
【０００２】
【従来の技術】
従来、床下や小屋裏内の環境改善として、ゼオライト、セピオライト、竹炭、活性炭等の多孔質材を敷き詰めるようにした技術が知られている。
この技術では、長期間使用すると、消臭機能が低下し、最終的には効果が失われてしまうという問題があった。
【０００３】
換気装置において、風路に光触媒コーティングを施したフイルタを取り付けたものが知られている。
この換気装置では、空気中の異臭原因となる粒子をフイルタによって付着させて消臭するようにしたものである。
この換気装置では、フイルタが無機物の粉塵等で目詰まりを起こし易い。このため、消臭機能が低下すると共に、空気の流通も悪くなり、定期的にフイルタを交換する必要があるなど、手間及びコスト面で不利になるという問題があった。
【０００４】
又、換気装置において、ファンに光触媒コーティングを施し、これに紫外線を照射するようにしたものが知られている（特許文献１参照）。
このように、ファンに光触媒コーティングを施したものでは、光触媒コーティング面がファンの表面に限られるため、その光触媒コーティング面積が広く取れず、消臭効果を得難いという問題があった。
【０００５】
【特許文献１】
特開平１０−２１１２６８号公報
【０００６】
本発明は、上述のような従来の問題を解決するためになされたもので、風路を形成する面を光触媒コーティング面に形成して、これに紫外線を照射させることで、フイルタを用いることなく、広い面積で空気の消臭、殺菌を効率よく行なうことができるようにした消臭・殺菌機能付き送風装置を提供することを課題としている。
【０００７】
【課題を解決するための手段】
上記の課題を解決するために、本発明（請求項１）の消臭・殺菌機能付き送風装置は、
吸気口から吸気した空気を排気口から排気させる送気ファンを備え、この送気ファンにより吸気した空気の流れを変更させる風向変更板を有する風路が形成され、この風路を通して送気ファンによる送風を行なうようにした送風装置であって、
前記各風路の内面の全面又は一部の面が光触媒コーティング面に形成され、
この光触媒コーティング面に紫外線を照射させるための紫外線照射手段が前記風路内に設けられている構成とした。
【０００８】
また、本発明（請求項２）の消臭・殺菌機能付き送風装置は、
前記請求項１記載の消臭・殺菌機能付き送風装置において、光触媒コーティング面が凹凸面に形成されている態様とした。
【０００９】
また、本発明（請求項３）の消臭・殺菌機能付き送風装置は、
前記請求項１又は２記載の消臭・殺菌機能付き送風装置において、紫外線照射手段が紫外線とオゾンを発生させるものである態様とした。
【００１０】
また、本発明（請求項４）の消臭・殺菌機能付き送風装置は、
前記請求項１又は２記載の消臭・殺菌機能付き送風装置において、紫外線照射手段とオゾン発生手段が併設されている態様とした。
【００１１】
【発明の実施の形態】
以下、本発明の実施の形態を図面に示す実施例により説明する。
図１は本発明の消臭・殺菌機能付き送風装置の実施例を示す縦断面図、図２はその消臭・殺菌機能付き送風装置の切欠平面図である。
この消臭・殺菌機能付き送風装置Ａは、風向器１に送風ファン（軸流ファン２）が設けられ、この送風ファンにより吸気した空気の流れを変更させる風向変更板（山形底板１０）を有する風路（傾斜風路１１）が形成され、この風路を通して送気ファンによる送風を行なうようにしたもので、床下や小屋裏等のほか、空気を循環させて換気を行なう必要がある場所に適宜設置することができる。
【００１２】
前記風向器１は、風向変更板となる山形底板１０の上方に風路となる傾斜風路１１を介して山形上板１２が設けられ、前記山形上板１２の上端中央に吸気口１３が形成されると共に、前記傾斜風路１１の外周全方向に開口して排気口１４が形成されている。
前記傾斜風路１１は、風路仕切り板１５により６個に区画され、この風路仕切り板１５によって山形底板１０と山形上板１２とが対向状態に支持されている。
【００１３】
前記送風ファンとしての軸流ファン２は、前記山形上板１２の上端中央に形成した吸気口１３に、前記山形底板１０に対向するように下向きに設けられている。この場合、吸気口１３は円筒体によって形成されている。
【００１４】
従って、軸流ファン２を作動させると、床下や小屋裏等の空気が吸気口１３から吸引され、その吸引した空気は、風向変更板となる山形底板１０によって流れが変更され、傾斜風路１１を通って排気口１４から小屋裏や床下等に排気され、これを繰り返すことにより、床下や小屋裏等の空気を循環させるようにしている。
【００１５】
この消臭・殺菌機能付き送風装置Ａでは、風向器１の外周全方向に開口して排気口１４が形成されているため、空気の排気方向が３６０°全方向になる。このため、周囲全方向に空気を排気することができ、局部的な障害物があっても空気の淀みを防止でき、換気効率を向上させて、高い換気性能を得ることができる。
【００１６】
そして、前記傾斜風路１１を形成する山形底板１０の上面１０ａ及び前記山形上板１２の下面１２ａ及び風路仕切り板１５の両表面１５ａは、その全面又は一部面が光触媒コーティング面Ｘに形成され、この光触媒コーティング面Ｘに紫外線を照射させるための紫外線照射ランプ３（紫外線照射手段）が前記傾斜風路１１内に設けられている。
【００１７】
この場合、前記光触媒コーティング面Ｘは、光触媒コーティング剤（例えば、高温焼き付タイプ光触媒コーティング：株式会社  石原産業製）を塗布することで形成することができるし、又、光触媒フイルム（例えば、光触媒コートＰＥＴフイルム：株式会社  伊勢久製）を貼付することで形成することもできる。
又、前記光触媒コーティング面Ｘを凹凸面に形成するのが好ましく、これにより、光触媒コーティング面Ｘの表面積を拡大させることができる。この場合の凹凸面としては、多数の小突起、筋状突起、網状突起、粗面等で形成することができる。
【００１８】
又、前記紫外線照射ランプ３は、放電による発光（電気ルミネッセンス）で光を得るもので、リング状ランプが用いられ、これを傾斜風路１１内に取り付けている。
この場合、リング状ランプは、１重又は２重に設けるようにしてもよいし、又、風路仕切り板１５により区画された各傾斜風路１１内に、それぞれ球状ランプを少なくとも１個以上設けるようにしてもよいし、又、一部の傾斜風路１１内に球状ランプを設けるようにしてもよく、この場合には、仕切り板１５に切欠窓を形成、若しくは、紫外線が通過できる仕切り板を使用して、球状ランプを設けていない傾斜風路内に紫外線を照射できるようにする。
なお、紫外線照射ランプ３としては、前記リング状ランプや球状ランプのほか、棒状ランプ等を用いることができる。
又、紫外線照射手段としては、紫外線を照射すると共に、オゾンを発生させるものを用いることができるし、或いは、紫外線照射手段とは別体にオゾン発生手段を併設することもできる。
なお、紫外線照射手段及びオゾン発生手段は、紫外線照射ランプと同様に放電技術を用いたものである。
【００１９】
従って、軸流ファン２の作動により吸気口１３から吸引された空気は、傾斜風路１１を通って排気口１４から排気される。この空気が傾斜風路１１を通過する際に、空気中に含まれている臭いの粒子や細菌が光触媒コーティング面Ｘに付着する。
この光触媒コーティング面Ｘには、紫外線照射ランプ３から紫外線が照射されているため、光触媒コーティング面Ｘによる光触媒作用によって、付着した臭いの粒子を酸化、分解し、又、細菌の細胞を致死させて空気を消臭、殺菌することができる。
これにより、活性炭等による吸着作用で消臭するものとは異なり、長期的に消臭、殺菌効果を維持させることができる。
なお、紫外線の照射と同時にオゾンも発生させると、消臭、殺菌効果を更に強化することができる。
【００２０】
なお、前記実施例では、山形上板１２の上端中央に吸気口１３が形成され、傾斜風路１１の外周全方向に開口して排気口１４が形成されている風向器１を用いたが、これとは逆に、山形上板の上端中央に排気口が形成され、傾斜風路の外周全方向に開口して吸気口が形成されている風向器を用いることができる。
この場合には、軸流ファンを排気口に上向きに設けるもので、その他の構成及び作用は、前記第１実施例と同様になる。
又、実施例では、送気ファン（軸流ファン２）の外周全方向に開口して排気口１４が形成されているが、送気ファンの外周多方向に開口して排気口１４を形成してもよい。又、送気ファンとしてシロッコファン等を用いることもできる。
【００２１】
【発明の効果】
以上説明してきたように、本発明（請求項１）の消臭・殺菌機能付き送風装置にあっては、風路を形成する面を光触媒コーティング面に形成して、これに紫外線を照射させるようにしたので、広い面積で、長期的に消臭、殺菌効果を維持させることができる。
又、光触媒作用によって有機物を分解するため、風路に無機物の粉塵等が付着する接着力を無くすことができ、この粉塵等を空気の勢いによって吹き飛ばすことができるため、風路内に粉塵が滞留することによる汚れを防止できる。
【００２２】
又、光触媒コーティング面を凹凸面に形成すると（請求項２）、光触媒コーティング面の表面積が拡大し、光触媒作用を強化することができる。
【００２３】
又、紫外線照射手段として紫外線とオゾンを発生させるものを用い（請求項３）、又、紫外線照射手段とオゾン発生手段を併設させると（請求項４）、紫外線の照射と同時にオゾンも発生させることができ、消臭、殺菌効果を更に強化することができる。
【図面の簡単な説明】
【図１】本発明の消臭・殺菌機能付き送風装置の第１実施例を示す縦断面図である。
【図２】その消臭・殺菌機能付き送風装置の切欠正面図である。
【符号の説明】
Ａ  消臭・殺菌機能付き送風装置
１  風向器
１０  山形底板（風向変更板）
１０ａ  上面
１１  傾斜風路（風路）
１２  山形上板
１２ａ  下面
１３  吸気口
１４  排気口
１５  風路仕切り板
１５ａ  表面
２  軸流ファン（送風ファン）
３  紫外線照射ランプ（紫外線照射手段）
Ｘ  光触媒コーティング面
【図１】
2004263992.tif 000003
【図２】
2004263992.tif 000004